(57)【要約】【課題】  使い勝手がよく、高い作業効率を実現することのできるローラー式塗装具用容器を提供することを解決課題とする。【解決手段】  ローラー式塗装具に塗料を含浸させるためのローラー用容器部と、塗料が含浸された刷毛を保持するための刷毛用容器部とからなり、該ローラー用容器部と該刷毛用容器部が連通してなることを特徴とするローラー式塗装具用容器である。【選択図】  図１
2008043928.tif 000002
【特許請求の範囲】
【請求項１】
ローラー式塗装具に塗料を含浸させるためのローラー用容器部と、塗料が含浸された刷毛を保持するための刷毛用容器部とからなり、該ローラー用容器部と該刷毛用容器部が連通してなることを特徴とするローラー式塗装具用容器。
【請求項２】
前記ローラー用容器部と前記刷毛用容器部が仕切り板で仕切られており、該仕切り板に切り欠き部が設けられていることによって、該ローラー用容器部と該刷毛用容器部が連通してなることを特徴とする請求項１記載のローラー式塗装具用容器。
【請求項３】
前記切り欠き部が、前記仕切り板の両端で、且つ該仕切り板の上端から下端にかけて設けられていることを特徴とする請求項１又は２記載のローラー式塗装具用容器。
【請求項４】
前記刷毛用容器部の底部が、前記ローラー用容器部の底部より上方に位置することを特徴とする請求項１乃至３いずれか記載のローラー式塗装具用容器。
【請求項５】
前記刷毛用容器部の底部が、前記ローラー用容器部に向かって低くなるように傾斜していることを特徴とする請求項１乃至４いずれか記載のローラー式塗装具用容器。
【請求項６】
余分な塗料をしごき取るためのしごき板が、前記ローラー用容器部の側面上端から前記ローラー用容器部の底部にかけて傾斜して設けられていることを特徴とする請求項１乃至５いずれか記載のローラー式塗装具用容器。
【発明の詳細な説明】
【技術分野】
【０００１】
本発明は、被塗装面を塗料により塗装する際に、塗料を入れておくローラー式塗装具用容器に関する。
【背景技術】
【０００２】
ローラー式塗装具は、壁面や天井面等の被塗装面を塗装する際に、一度に多くの塗料を含浸することができ、且つ、広範囲に塗装できる等の利点があり、広く利用されている。
【０００３】
このローラー式塗装具としては、図７で示す如く、基端に把持部８を有する金属製の棒材を略了形に屈曲させた支持部９を有し、支持部９の先端に水平方向に円柱形のローラー部１０が回転自在に備え付けられているのもが一般的である。また、ローラー部１０は、回転自在に取付けられたローラーの周りに、塗料を含浸するためのスポンジやファブリック等を形成したものである。
ローラー式塗装具を用いて塗装する際は、容器に塗料を注入して、容器内の塗料にローラー式塗装具のローラー部を含浸させて使用する。
ローラー式塗装具のための容器（以下、ローラー式塗装用容器と称す）としては、例えば下記特許文献１に記載された容器等が挙げられる。
【０００４】
しかしながら、ローラー式塗装具では、入隅やチリ際等の細部を塗装することは困難であり、細部について仕上げをするにあたっては、ローラー式塗装具とは別に刷毛を使用する必要がある。
【０００５】
ところが、特許文献１に開示されたローラー式塗装具用容器等は、ローラー式塗装具のためのものであり、刷毛のために使用するのには適していない。具体的には、刷毛はローラー式塗装具より小さく、特許文献１に開示されたローラー式塗装具用容器等を刷毛にも利用した場合、刷毛が容器内部に滑り落ちて、把持部まで塗料に浸ってしまう。それにより、刷毛の把持部を汚してしまったり、ローラー式塗装具との持ち替えがスムーズに行えず、作業効率を低下させてしまったりする。
また、仮に当該ローラー式塗装具用容器に刷毛を保持したとしても、その状態では、刷毛が邪魔になり、ローラー式塗装具に塗料を含浸させることができない。
【０００６】
そのため、従来は、ローラー式塗装具用の容器と刷毛用の容器の２種類を用意する必要があった。
しかしながら、２種類の容器を使うことは、使い勝手が悪いため作業が煩雑となるといった問題が生じる。
また、使用後の容器の洗浄等も２種類の容器を別々に行う必要があり、手間がかかるといった問題も生じる。
【０００７】
【特許文献１】特開２００４−３４４７９９号公報
【発明の開示】
【発明が解決しようとする課題】
【０００８】
本発明は、上記実情に鑑みてなされたものであり、使い勝手がよく、高い作業効率を実現することのできるローラー式塗装具用容器を提供することを解決課題とする。
【課題を解決するための手段】
【０００９】
請求項１に係る発明は、ローラー式塗装具に塗料を含浸させるためのローラー用容器部と、塗料が含浸された刷毛を保持するための刷毛用容器部とからなり、該ローラー用容器部と該刷毛用容器部が連通してなることを特徴とするローラー式塗装具用容器に関する。
【００１０】
請求項２に係る発明は、前記ローラー用容器部と前記刷毛用容器部が仕切り板で仕切られており、該仕切り板に切り欠き部が設けられていることによって、該ローラー用容器部と該刷毛用容器部が連通してなることを特徴とする請求項１記載のローラー式塗装具用容器に関する。
【００１１】
請求項３に係る発明は、前記切り欠き部が、前記仕切り板の両端で、且つ該仕切り板の上端から下端にかけて設けられていることを特徴とする請求項１又は２記載のローラー式塗装具用容器に関する。
【００１２】
請求項４に係る発明は、前記刷毛用容器部の底部が、前記ローラー用容器部の底部より上方に位置することを特徴とする請求項１乃至３いずれか記載のローラー式塗装具用容器に関する。
【００１３】
請求項５に係る発明は、前記刷毛用容器部の底部が、前記ローラー用容器部に向かって低くなるように傾斜していることを特徴とする請求項１乃至４いずれか記載のローラー式塗装具用容器に関する。
【００１４】
請求項６に係る発明は、余分な塗料をしごき取るためのしごき板が、前記ローラー用容器部の側面上端から前記ローラー用容器部の底部にかけて傾斜して設けられていることを特徴とする請求項１乃至５いずれか記載のローラー式塗装具用容器に関する。
【発明の効果】
【００１５】
請求項１に係る発明によれば、ローラー式塗装具に塗料を含浸させるためのローラー用容器部と、塗料が含浸された刷毛を保持するための刷毛用容器部とからなることにより、ローラー式塗装具と刷毛を同一の容器で保持することができる。そのため、作業効率を向上させることができる。
また、ローラー用容器部と刷毛用容器部が連通していることにより、ローラー用容器部の塗料を刷毛用容器部にも流入させることができる。これにより、ローラー用容器部に塗料を溜めて使用する場合でも、ローラー用容器部内の塗料と刷毛用容器部内の塗料の濃度や色等が同一となり、ローラー式塗装具と刷毛を持ち替えたとしても、塗装面に色斑が生じることを防ぐことができる。
また、ローラー式塗装具用容器の洗浄時にも、洗浄溶液がローラー用容器部と刷毛用容器部を移動して流れるため、洗浄溶液の使用量を削減することができる。
【００１６】
請求項２に係る発明によれば、ローラー用容器部と刷毛用容器部が仕切り板で仕切られていることにより、刷毛を仕切り板に立て掛けることができ、刷毛を安定して保持することができる。
また、仕切り板に切り欠き部が設けられていることによって、ローラー用容器部と刷毛用容器部が連通してなることにより、ローラー用容器部の塗料を刷毛用容器部にも流入させることができる。これにより、ローラー用容器部に塗料を溜めて使用する場合でも、ローラー用容器部内の塗料と刷毛用容器部内の塗料の濃度や色等が同一となり、ローラー式塗装具と刷毛を持ち替えたとしても、塗装面に色斑が生じることを防ぐことができる。
また、ローラー式塗装具用容器の洗浄時にも、洗浄溶液がローラー用容器部と刷毛用容器部を移動して流れるため、洗浄溶液の使用量を削減することができる。
【００１７】
請求項３に係る発明によれば、切り欠き部が、仕切り板の両端で、且つ仕切り板の上端から下端にかけて設けられていることにより、刷毛用容器部が比較的小さい場合でも、容易に洗浄することができる。
【００１８】
請求項４に係る発明によれば、刷毛用容器部の底部が、ローラー用容器部の底部より上方に位置することにより、刷毛の把持部にまで塗料が付着することを防ぐことができる。
また、刷毛用容器部に塗料が溜まらないようにすることもできる。
【００１９】
請求項５に係る発明によれば、刷毛用容器部の底部が、ローラー用容器部に向かって低くなるように傾斜していることにより、刷毛用容器部に塗料が溜まらないようにすることができる。また、洗浄の際、刷毛用容器部に付着した塗料を容易に取り除くことができる。
【００２０】
請求項６に係る発明によれば、余分な塗料をしごき取るためのしごき板が、ローラー用容器部の側面上端からローラー用容器部の底部にかけて傾斜して設けられていることにより、ローラー用塗装具に含浸した余分な塗料を取り除き、美麗な塗装面とすることができる。
【発明を実施するための最良の形態】
【００２１】
以下、本発明に係るローラー式塗装具用容器の実施例について説明する。なお、下記実施例は本発明を何ら限定するものではない。
図１は、本発明の実施例に係るローラー式塗装具用容器１００を示す斜視図であり、図２が分解斜視図である。
ローラー式塗装具用容器１００は、容器本体１と、ローラー用容器部１内部に着脱可能なしごき板２を有している。以下、容器本体１と、しごき板２について説明する。
【００２２】
まず、容器本体１について説明する。
図３は、容器本体１を示す上面図であり、図４（ａ）は図３におけるＡ−Ａ線断面図、図４（ｂ）は図３におけるＢ−Ｂ線断面図である。
【００２３】
容器本体１は、ローラー式塗装用具５を入れるためのローラー用容器部３と、刷毛６を保持するための刷毛用容器部４からなる。
容器本体１の材質としては、プラスチックや鉄等の金属が挙げられる。
【００２４】
ローラー用容器部３は、上方が開放した略直方体の形状をしており、ローラー式塗装具５に塗料を含浸するために、塗料が注入される。
【００２５】
また、ローラー用容器部３には、側面上端に、コ字状の切り込み３１ａ（図４（ａ）等参照）が設けられたストッパー３１が設けられている。そして、ストッパー３１の両脇には、しごき板２を取り付けるための、一対のしごき板取付け部３３が設けられている。
ストッパー３１の切り込み３１ａにはローラー式塗装具５の把持部５３が係止される。そして、一対のしごき板取付け部３３に取付けられたしごき板２により、ローラー式塗装具５のローラー部５１が支持されることで、ローラー式塗装具５全体が安定して保持される。詳しくは後述する。
【００２６】
加えて、ローラー用容器部３は、持ち手７を取り付けるための持ち手取付け部３２を有しており、持ち手７を回動可能に取付けることができる。持ち手７を取り付けることにより、容器本体１の持ち運びを容易に行うことができる。
また、持ち手７が回動可能であることにより、使用時には持ち手７を下に下ろした状態にしておくことができ、作業の邪魔になることもない。
【００２７】
刷毛用容器部４は、刷毛６を保持するための部分である。また、ローラー用容器部３の側面に備え付けられており、仕切り板４１により区切られている。
なお、刷毛用容器部４に保持される刷毛６とは、ローラー式塗装具５とは別の塗装具を指す。具体的には、筋違刷毛等を挙げることができるが、用途や塗料の種類により適宜選択すればよい。
【００２８】
また、仕切り板４１があることにより、刷毛用容器部４が、四面を板に囲まれた状態となるので、刷毛６を容易に立て掛けることができる。
そして、刷毛用容器部４の大きさは、刷毛６の把持部６２を上にして入れたとき、刷毛６が転倒したりせず、安定して保持することのできる大きさであることが好ましい。それにより、刷毛６を使用しない時は、刷毛用容器部４に保持しておくことができ、周囲を汚すことなく、好適に利用することができる。
また、把持部６２が上方にあるため、ローラー式塗装用具との持ち替えを容易に行うことができるので、作業をさらに効率的に行うことができる。
【００２９】
刷毛用容器部４があることにより、ローラー式塗装具５の他に、刷毛６も同時に保持することができる。つまり、同一容器内でローラー式塗装具５と、刷毛６の両方を保持することができる。それにより、ローラー式塗装具５と刷毛６を容易に持ち替えることができ、作業効率を向上させることができる。
ローラー式塗装具５から刷毛６に持ち替える場合としては、例えば、入隅やチリ際等の細部の塗装をするとき等が挙げられる。
【００３０】
また、図４（ｂ）に示す如く、仕切り板４１の両端には切り欠き部４１ａが、仕切り板の上端から下端にかけて形成されている。
切り欠き部４１ａが設けられていることにより、ローラー用容器部３と刷毛用容器部４が連通し、ローラー用容器部３の塗料を刷毛用容器部４にも流入させることができる。これにより、ローラー用容器部３に塗料を溜めて使用する場合でも、ローラー用容器部３内の塗料と刷毛用容器部４内の塗料の濃度や色等が同じものとなるため、ローラー用容器部３内の塗料で塗装した場合と、刷毛用容器部４内の塗料で塗装した場合とで色斑が生じず、塗装面を美麗に仕上げることができる。
【００３１】
加えて、塗装後に塗料を洗い流すための洗浄溶液（水やシンナー等）を用いて洗浄する際も、切り欠き部４１ａが設けられていることにより、ローラー用容器部３に注入した洗浄溶液が、刷毛用容器部４にも流れ込む。そのため、洗浄も容易に行うことができ、且つ洗浄溶液の使用量も削減することができる。
【００３２】
また、刷毛用容器４は、刷毛の大きさに対応して設計されるため、一般的にあまり大きくない場合が多い。そのため、特に刷毛用容器部４の底部の四隅に付着した塗料を取り除くことは困難となる。
しかしながら、本実施例では、切り欠き部４１aが仕切り板４の両端で、且つ仕切り板４の上端から下端にかけて設けられていることにより、四隅のうちローラー用容器部３側の２箇所が切り欠き部４１ａとなる。そのため、塗料を容易に取り除くことができ、塗装後の洗浄がさらに容易なものとなる。
【００３３】
また、刷毛用容器部４の底部４ａは、ローラー用容器部３の底部より上方に位置するように設計されている（図４（ａ）参照）。ローラー式塗装具５のローラー部５１は刷毛６の刷毛部６１より大きいため、仮に、刷毛用容器４の底部４ａと、ローラー用容器部３の底部の高さが同じ場合、ローラー式塗装具５に十分な塗料を含浸させる量の塗料を注入することで、刷毛６の把持部６２まで塗料に浸ることとなってしまう。
しかしながら、本実施例では、刷毛用容器部４の底部は、ローラー用容器部３の底部より上方に位置するように設計されていることにより、刷毛６の把持部６２が塗料に浸ることを防止することができる。
加えて、刷毛用容器部４に塗料を溜めずに使用したい場合は、刷毛用容器部４の底部４ａより低い位置まで塗料を入れればよい。
【００３４】
さらに、図４（ａ）で示す如く、刷毛用容器部４の底部４ａは、ローラー用容器部３に向かって低くなるように傾斜している。これにより、刷毛用容器部４に塗料を溜めたくない時等でも、余分な塗料がローラー用容器部３に流れ出るので、刷毛用容器部４に塗料が溜まらないようにすることができる。
また、洗浄時にも容易に塗料を取り除くことができる。
【００３５】
なお、上記では、ローラー用容器部３はローラー式塗装具５を入れるためのものであり、刷毛用容器部４は刷毛６を入れるためのものであるとして説明したが、ローラー用容器部３に筋違刷毛等を入れることもできるし、刷毛用容器部４に小さいローラー塗装具を入れることも当然でき、使用する塗装具の種類や組合わせにより、応用可能である。
【００３６】
次いで、しごき板２について説明する。
しごき板２は、ローラー式塗装具５に含浸している余分な塗料を取り除くためのものである。
図５は、しごき板２によりローラー式塗装具５に含浸している余分な塗料を取り除いている状態を示す説明図ある。
しごき板２上端部には、ローラー用容器部３のしごき板取付け部３３を抱える係止部２２が設けられている。そして、しごき板２は、図５に示す如く、ローラー用容器部３内部に傾斜させた状態で立て掛けて使用される。
【００３７】
また、しごき板２が取付けられるしごき板取付け部３３は、しごき板２がしっかりと固定されるような形状となっている。
具体的には、しごき板２が上方向に外れないように、係止部２２に対応した厚みとなっている。さらに、図３に示す如く、一対のしごき板取付け部３３の内側端には突出部３３ａが夫々設けられている。突出部３３ａがストッパーの役割を果たすことにより、しごき板２が左右に動くことも防ぐことができる。
【００３８】
また、図５で示す如く、しごき板２の表面には、上端に向かって高くなる山形状の突起２４が多数設けられている。そして、突起で囲まれた部分は貫通孔２３となっている。
そのため、ローラー式塗装具５をしごき板２に押し当て、上方から下方に移動させることにより、突起２４によってローラー部５１（スポンジやファブリック）が圧力を受け、絞られる状態となる。それにより、ローラー部５１に含浸された余分な塗料を取り除くことができる。そのため、ローラー式塗装具５に適量の塗料を含浸させて使用することができる。
また、ローラー式塗装具から除去された余分な塗料は、貫通孔２３より、しごき板２の下のローラー用容器部３に落下するため、塗料の無駄を省くことができる。
【００３９】
また、しごき板２の下に位置するローラー用容器部の底部３ａは、図５に示す如く、しごき板取付け部３３が設けられている側が高くなるように傾斜している（以下、傾斜部３ａと称す）。傾斜部３ａはしごき板２が上方にあるため、傾斜部３ａ上に溜まった塗料をローラー式塗装具５に含浸させることが困難である。しかしながら、傾斜部３ａが上記したように傾斜しているため、しごき板２が上部にない範囲３ｂに塗料が流れていく。そのため、塗料が残り少なくなっても、効率よく塗料を使用することができる。
【００４０】
また、しごき板２は、ローラー用容器部３に対して着脱可能である。それにより、塗装終了後等、しごき板２を取り外すことで、しごき板２及び容器本体１を容易に洗浄することができる。
【００４１】
図６はローラー式塗装具５をストッパー３１に係止した状態を示す説明図である。
ストッパー３１は、ローラー式塗装具５の把持部５３を切り込み３１ａに係止することで、ローラー式塗装具５を係止するためのものである。具体的には、図６で示す如く、ローラー部５１をしごき板２で支持し、把持部５３をストッパー３１で支持して、ローラー式塗装具５全体を係止する。これにより、ローラー式塗装具５がローラー式塗装用容器１００内部に滑り落ちることがなく、把持部５３に塗料が付着し、汚れることを防止することができる。
また、ローラー式塗装具５をストッパー３１に係止した場合、把持部５３が容器本体１の上方にくるため、刷毛６との持ち替え等を容易に行うことができ、高い作業効率を実現することができる。
【産業上の利用可能性】
【００４２】
本発明に係るローラー式塗装用容器は、壁や天井等の塗装時に好適に利用可能である。
【図面の簡単な説明】
【００４３】
【図１】ローラー式塗装具用容器を示す斜視図である。
【図２】ローラー式塗装具用容器を示す分解斜視図である。
【図３】容器本体を示す上面図である。
【図４】（ａ）は図３におけるＡ−Ａ線断面図、（ｂ）は図３におけるＢ−Ｂ線断面図である。
【図５】しごき板によりローラー式塗装具に含浸している余分な塗料を取り除いている状態を示す説明図ある。
【図６】ローラー式塗装具をストッパーに係止した状態を示す説明図である。
【図７】ローラー式塗装具を示す斜視図である。
【符号の説明】
【００４４】
１      容器本体
２      しごき板
３      ローラー用容器部
４      刷毛用容器部
４ａ    刷毛用容器部の底部
４１    仕切り板
４１ａ  切り欠き部
５      ローラー式塗装具
６      刷毛
１００  ローラー式塗装具用容器
【図１】
2008043928.tif 000003
【図２】
2008043928.tif 000004
【図３】
2008043928.tif 000005
【図４】
2008043928.tif 000006
【図５】
2008043928.tif 000007
【図６】
2008043928.tif 000008
【図７】
2008043928.tif 000009